(57)【特許請求の範囲】
【請求項１】
同軸的に作用の回転力及び反作用の回転力を同等のトルクで生むトルクレンチの付属リンクであって、突出部を備えたハウジングと、締め具に係合可能なラチェット及びこのラチェットを回転させる少なくとも１枚の駆動板を備えたラチェット機構と、反作用の回転力を供するトルクレンチの一部に、前記のハウジングを接続する第１の接続手段と、作用の回転力を供するトルクレンチの一部に、前記の駆動板を接続する第２の接続手段とで構成され、前記ハウジングの突出部が近隣の静止物体に当接されることで、緊締又は弛緩される締め具の周囲でのトルクレンチの回転が防止され、トルクレンチの回転運動を前記のラチェット機構によって直線的な往復運動に変換して駆動板に伝え、その駆動板の揺動によって、前記のラチェットで締め具を回転させるトルクレンチ用付属リンク。
【請求項２】
前記ラチェットと対向する位置で前記駆動板に接続された素子であって、トルクレンチの回転運動を直線的な往復運動に変換する摺動素子を、前記第２の接続手段が備えている請求項１記載の付属リンク。
【請求項３】
回転運動から直線的往復運動への変換に際して、前記ラチェットのトルクが、トルクレンチのそれより増大するように、前記第２の接続手段が形成されている請求項１記載の付属リンク。
【請求項４】
前記第２の接続手段が摺動素子を備え、その摺動素子の直線的変位量と、駆動板の有効長との比に依存して、トルクレンチのトルク以上にラチェットのトルクを増大させる請求項３記載の付属リンク。
【請求項５】
ラチェットが締め具を所定の方向に回転させてこれを締め付けている過程で、ラチェットの回転方向を逆転できる切り換え手段をさらに備えた請求項１記載の付属リンク。
【請求項６】
前記の切り換え手段が、２つの異なる係合モードでラチェットに係合する爪と、その爪に作用する作動部材とで構成され、前記係合モードのひとつが、ラチェットを正転させるモードであり、他の一つがラチェットを逆転させるモードである請求項５記載の付属リンク。
【請求項７】
前記の作動部材が、爪の揺動軸に位置するピンを備え、前記２つの係合モードのどちらであるかを決める２つの位置の間で動く請求項６記載の付属リンク。
【発明の詳細な説明】
【背景技術】
【０００１】
本発明は、トルクレンチのアタッチメントとして使用される付属リンクに関する。
トルクレンチ用付属リンクは、ネジ付き連結具乃至は締め具を緊締又は弛緩するためのラチェット機構を、通常備えている。そうした付属リンクは、いろいろな具体例があり、様々な業界で使用されているが、これらには、さらなる改良の余地がある。
【発明の開示】
【発明が解決しようとする課題】
【０００２】
本発明の目的は、現存のトルクレンチ用付属リンクよりも、さらに改良されたトルクレンチ用付属リンクを提供することにある。
【課題を解決するための手段】
【０００３】
本発明に係るトルクレンチ用付属リンクのひとつは、同等のトルクで作用の回転力と反作用の回転力を反対方向に供するトルクレンチ用付属リンクであって、そのリンクは、
ハウジングと、締め具に係合可能なラチェット及びこのラチェットを回転させる少なくとも１枚の駆動板を備えたラチェット機構と、反作用の回転力を供するトルクレンチの一部に、前記のハウジングを接続する第１の接続手段と、作用の回転力を供するトルクレンチの一部に、前記の少なくとも１枚の駆動板を接続する第２の接続手段とで構成される。この付属リンクは、トルクレンチが緊締又は弛緩される締め具の周囲で回転しないように、前記のハウジングを近隣の静止物体に当接させながら、トルクレンチの回転運動を駆動板に伝わる直線運動に変換させて駆動板を揺動させることにより、前記のラチェットが締め具を緊締又は弛緩するために回転させる。
【０００４】
本発明に従うトルクレンチ用付属リンクは、締め具などのネジ付き連結具を、簡単にかつ手際よく回転させ、同時にその反作用の力を、例えば、近隣のネジ付き連結具のような物体で中和させる。
【０００５】
本発明のさらなる特徴の一つは、前記の第２接続手段が、トルクレンチの回転運動の下で直線的に変位することができ、前記駆動板における前記ラチェットの対向端に接続されたソケットを備えていることである。
【０００６】
本発明のさらなる特徴は、前記第２の接続手段が、次のように形成されていることにある。すなわち、回転運動を直線運動に変換する際に、ラチェット機構のラチェットが発揮するトルクを、トルクレンチのトルク以上に増大させることができ、トルクレンチの作用の回転力及び反作用の回転力よりも大きく、しかもその回転力に直交する付属リンクの作用の力及び反作用の力にて、トルクレンチの反作用の回転力で起こる付属リンクの斜傾を防ぐことができ、付属レンチが係合している締め具及びその近傍の静止物体に合わせて、付属リンクが保持されるように、前記第２の接続手段を形成させることが好ましい。
【０００７】
本発明のさらなる特徴は、前記第２の接続手段が摺動素子を備え、その摺動素子の直線的変位量と、駆動板の揺動距離との比に依存して、ラチェットのトルクがトルクレンジのトルク以上に増大することにある。
【０００８】
本発明のさらなる特徴は、トルクレンチ用付属リンクに、ラチェットの回転方向を逆にできる切り替え手段を設けることができることである。締め付ける際の回転方向が同じである複数個の締め具（例えば、ナット）を、順番に本発明の付属リンクにて所定の方向に回転させる場合、上記の切り替え手段は、付属リンクのラチェットが或る締め具を所定の方向に回転させている過程の任意の時期に、ラチェットの回転方向を逆向きにする。
【０００９】
本発明のさらなる特徴は、前記の切り替え手段を、２つの異なる係合モードでラチェットに係合する爪と、その爪に作用する作動部材とで構成させることにある。前記の爪が第１の係合モードでラチェットと係合している場合には、ラチェットは正転し、第２の係合モードでラチェットに係合している場合には、ラチェットは逆転する。
【００１０】
本発明のさらに別の特徴は、前記の作動部材が、爪の揺動軸に位置するピンを備え、前記２つの係合モードのどちらであるかを決める２つの位置の間で動くことにある。
【００１１】
本発明の特徴点は、特許請求の範囲に示されているが、本発明の構成を含めてその詳細を、図面に沿って行う本発明の具体例についての以下の説明で、明らかにする。
【発明を実施するための最良の形態】
【００１２】
本発明に係る付属リンク１は、トルクレンチ２へのアタッチメントとして用意されたものである。
付属リンク１はハウジング３を備え、このハウジングには、スペーサ５を挟んで互いに結合し、付属リンク１の対応部分を支持しているハウジングプレート４が含まれる。本発明の付属リンクはさらに、ラチェット機構６を備える。ラチェット機構６は、ハウジング３内に回転可能に支持されたラチェット７と、ラチェットの歯に係合してラチェットと協働する爪８と、爪８が取り付けられてラチェット７の軸の周りで揺動する駆動板９で構成される。
【００１３】
付属リンク１のハウジング３と、トルクレンチ２を接続する第１接続手段は、例えば、二つのフランジ１０，１１で形成させることができる。一方のフランジ１０は、トルクレンチのハウジングから突出する非回転突起１２に接続される。他方のフランジ１１は、例えば、ボルトでフランジ１０に接続され、さらに、フランジ１１の開口部１３を貫くボルトにて、ハウジング３のハウジングプレート４に接続される。従って、操作中は、付属リンクのハウジングは、トルクレンチのハウジングに関して回転できない。
【００１４】
本発明の付属リンクは、図４に示すように、トルクレンチの回転部分、典型的にはスピンドル１４と接続する第２接続手段を備え、この第２接続手段は、スピンドル１４の回転運動を、付属リンクの他端に位置する摺動素子１５の直線運動に変換する。第２接続手段はさらにクランク１６を備え、その一方の脚はトルクレンチのスピンドル１４に嵌合され、他方のオフセット脚は、後述する幾つかの部材を介して、摺動素子１５に接続される。クランク１６は、自身の回転運動をその回転軸に直交する直線運動に変換し、これを摺動素子１５に伝える。摺動素子１５は、駆動板９の一端と係合してクロスヘッド３４のスロット内で摺動する。摺動素子が係合する駆動板の一端は、ラチェット７に対向する位置にある。
【００１５】
付属リンクを機能させるには、ラチェットの中央開口に位置するソケットを、締め具のナットに嵌合させてトルクレンチを稼動させる。すると、トルクレンチのスピンドル１４の回転が、摺動素子１５を横方向に（図1及び図4で言えば、図の上下方向に）繰り返し摺動させる結果、駆動板９がラチェットの軸の周りを揺動する。駆動板が揺動すると、これに取り付けられている爪８が、ラチェットの歯に係合してラチェットは一定方向に回転する。従って、ラチェットの中央ソケットに嵌合しているナット１７も回転するので、このナットは緊締又は弛緩する。この間、付属リンクのハウジングの突出部１８は、近傍の静止物体１９に当接されるが、この物体はナットなどの締め具であって差し支えない。
【００１６】
図４は、トルクレンチの回転運動を直線的な動きに変換するための構成要素を示している。この構成要素には、上記したクランク１６及び摺動素子１５以外に、トルクレンチ２のスピンドル１４と嵌合したクランク１６が収容される軸受３０、クランク１６のオフセット脚が納まる軸受３１、軸受３１が収まるブッシュ３２、このブッシュが収まるスロット３３及びこれに対向するスロットを備えたクロスヘッド３４が含まれる。スロット３３に対向するスロットには、上記した摺動素子１５が収容される。
【００１７】
本発明の付属リンクはさらに、図５及び図６に示されるようなスイッチ機構を備え、この機構全体を符号２０で示す（図１参照）。スイッチ機構２０は次のように構成されている。
爪８は、駆動板９の上に設けたピボット軸で旋回する。引張バネ２１は、ピン２２とピン２３の間に設置される。爪８は、二つ爪構造を持ち、その間にピボット軸が位置する。爪８にはひとつの溝が設けられ、この溝内の位置Ａと位置Ｂとの間を、ピン２３が移動することで、爪を任意に旋回させることができる。位置Ａと位置Ｂとの間のピン２３の移動は、スイッチピン２４の出し入れによって行われ、ノブ２５はスイッチピン２４の引き手として使用される。
【００１８】
爪８が位置Ａにあるときは、二つ爪構造の爪８の一方の爪がラチェット７に係合し、ナット１７を緊締又は弛緩するために、ラチェットを右方向又は左方向に回転させる。ナット１７が緊締又は弛緩し終わり、近隣のナット１９を緊締又は弛緩する場合は、トルクレンチに接続されている付属リンクを反転させてそのラチェット７を、ナット１９に嵌合させ、付属リンクのハウジング突出部１８を前記のナット１７に当接させる。そして、スイッチピン２４を働かせてピン２３を位置Ｂに移動させる。この状態でトルクレンチを作動させると、ラチェット７は、ナット１７を緊締又は弛緩していた回転方向とは逆方向に回転するので、ナット１９は先にナット１７が回転していたのと同じ方向に回転して、緊締又は弛緩される。
【００１９】
上で言う同じ方向とは、２つのナット１７及び１９を締めるには同じ方向に回転させなければならず、緩めるにも同じ方向に回転させなければならないことを指し、この場合、締め付ける際の回転方向は、緩める際の回転方向の逆である。
【００２０】
本発明によれば、トルクレンチのスピンドル４の回転運動を、直線運動に変換することができ、しかも、トルクレンチのトルクを増大させて締め具であるナットに伝えることができる。すなわち、ラチェットの中心、すなわち、駆動板９の開口部の中心から、摺動素子１５の中心までの距離（駆動板の有効長）は、摺動素子の直線的な横方向移動距離よりも数倍大きいので、ラチェットのトルクは、トルクレンチのトルクより増大する。
本発明に係る付属リンクの作用の力及び反作用の力は、トルクレンチの作用の力及び反作用の力と直交する関係にあるので、この付属リンクは、これで回転させられるナット１７及びその反作用の力を受けるナット１９に沿って維持される。
【００２１】
以上は、本発明に係るアタッチメントを一実施例についての説明であるが、この説明は本発明を限定するものではない。当該アタッチメントには、本発明の精神から逸脱することなく様々な修正や構造的変更を加えることができるからである。
【００２２】
更なる説明を加えなくても、上述したところは、本発明の骨子を充分に明らかにしているので、当業者は現在の知識を用いて本発明をいろいろの用途に活用することができる。
【図面の簡単な説明】
【００２３】
【図１】本発明に係るトルクレンチ用付属リンクの正面図。
【図２】本発明に係るトルクレンチ用付属リンクの平面図。
【図３】本発明に係るトルクレンチ用付属リンクの側面図。
【図４】本発明のトルクレンチ用付属リンクにおける第２接続手段の分解図。
【図５】本発明のトルクレンチ用付属リンクにおけるスイッチ機構の正面図。
【図６】本発明のトルクレンチ用付属リンクにおけるスイッチ機構の側面図。
【符号の説明】
【００２４】
１    付属リンク            ２    トルクレンチ
３    ハウジング            ４    ハウジングプレート
５    スペーサ              ６    ラチェット機構
７    ラチェット            ８    爪
９    駆動板                １０    フランジ
１１    フランジ            １２    非回転突起部    
１３    フランジ開口部      １４    スピンドル
１５    摺動素子            １６    クランク
２０    スイッチ機構        ２１    引張バネ
２２    ピン                ２３    ピン
２４    逆転ピン            ２５    ノブ
３０    軸受                ３１    軸受
３２    ブッシュ            ３４    クロスヘッド
【図１】
0004399443.tif 000002
【図２】
0004399443.tif 000003
【図３】
0004399443.tif 000004
【図４】
0004399443.tif 000005
【図５】
0004399443.tif 000006
【図６】
0004399443.tif 000007